(57)【要約】  本発明は、自動車のトランクの扉構造装置（１）であって、車体外板によって覆われるようになされた下側部分（１ｂ）、および後方窓枠によって覆われるようになされた後方窓ケーシング（４）を形成する上側部分（１ａ）と、下側部分（１ｂ）から上側部分（１ａ）まで延在する少なくとも１つの中空補強要素（２）とを備える装置（１）に関する。【選択図】図６
2021528318.tif 000002
【特許請求の範囲】
【請求項１】
自動車のトランク用の扉構造装置（１）であって、
車体外板（８）によって覆われるようになされた下側部分（１ｂ）、および、後方窓囲繞部（４）を形成しかつ後方窓枠（６）によって覆われるようになされた上側部分（１ａ）と、
前記下側部分（１ｂ）から前記上側部分（１ａ）まで延在する少なくとも１つの中空補強要素（２）と
を備え、
前記中空補強要素（２）が、流体アシスト射出成型によって製造される、
装置（１）。
【請求項２】
プラスチック材の射出成型によって一体に製作される、請求項１に記載の装置（１）。
【請求項３】
前記少なくとも１つの中空補強要素（２）が、前記下側部分（１ｂ）および／または前記上側部分（１ａ）に対して突出している、請求項１または２に記載の装置（１）。
【請求項４】
前記少なくとも１つの中空補強要素（２）が、前記下側部分（１ｂ）および／または前記上側部分（１ａ）の外面から突出している、請求項３に記載の装置（１）。
【請求項５】
前記中空補強要素（２）が、平行六面体断面、好ましくは正方形断面を有する、請求項１から４のいずれか一項に記載の装置（１）。
【請求項６】
前記少なくとも１つの中空補強要素（２）が、前記後方窓囲繞部（４）を少なくとも部分的に取り巻く周縁枠を形成し、かつ／または、前記少なくとも１つの中空補強要素（２）が、前記装置（１）を少なくとも部分的に取り巻く周縁枠を形成する、請求項１から５のいずれか一項に記載の装置（１）。
【請求項７】
前記少なくとも１つの中空補強要素（２）の１つの面（２ａ）を含む連続的固定経路（７１）をさらに備え、前記固定経路（７１）が、前記装置（１）の内面に配置される、請求項１から６のいずれか一項に記載の装置（１）。
【請求項８】
請求項１から７のいずれか一項に記載の装置（１）を製造する方法であって、
前記下側部分（１ｂ）および前記上側部分（１ａ）を製造するプラスチック射出成型ステップと、
前記下側部分（１ｂ）から前記上側部分（１ａ）まで延在する前記少なくとも１つの中空補強要素（２）を製造する流体アシストプラスチック射出成型ステップと
を含む方法。
【請求項９】
プラスチック材製の追加補強手段（９ａ）を、前記装置（１）の残余部分に取り付け、特にオーバモールドによって取り付ける、請求項８に記載の方法。
【請求項１０】
請求項１から７のいずれか一項に記載の車両トランクの扉構造装置（１）と、後方窓枠（６）とを備える自動車のトランク扉（１１）であって、前記後方窓枠（６）が、重ね合わせによって前記装置（１）の前記後方窓囲繞部（４）を覆い、前記後方窓枠（６）と前記装置（１）との重ね合わせ部が、前記少なくとも１つの中空補強要素（２）の長さの少なくとも一部分に沿って延在する第２の中空体（６１）を形成する、自動車のトランク扉（１１）。
【請求項１１】
請求項１から７のいずれか一項に記載のトランク扉構造装置（１）と、前記少なくとも１つの中空補強要素（２）に固定された少なくとも１つのシーリング要素（７）とを備える、自動車のトランク扉（１１）。
【請求項１２】
請求項１から７のいずれか一項に記載のトランク扉構造装置（１）と、前記上側部分（１ａ）を前記下側部分（１ｂ）に連結し、中空チューブ（９ａ）、および前記中空チューブ（９ａ）の長手方向両端部にオーバモールドされた固定要素（９ａ、９ｂ）を備える少なくとも１つの追加プラスチック補強手段（９）とを具備する、自動車のトランク扉（１１）。
【請求項１３】
請求項１０から１２のいずれか一項に記載のトランク扉（１１）を備える自動車車体であって、前記車体が、シーリング要素（７）を備え、前記トランク扉（１１）が閉鎖されたとき、前記シーリング要素（７）が、前記少なくとも１つの中空補強要素（２）または前記少なくとも１つの固定経路（７１）と接触する、自動車車体。
【請求項１４】
請求項１から７のいずれか一項に記載の車両トランク用の扉構造装置（１）または請求項１３に記載の自動車車体を備える、車両（１２）、特に自動車。
【発明の詳細な説明】
【技術分野】
【０００１】
本発明は、自動車のトランク用の扉の構造装置に関する。本発明は、また、そのような構造装置を製造する方法に関する。本発明は、さらに、そのような扉構造装置を備える、自動車のトランク扉に関する。最後に、本発明は、そのような扉構造装置を備える車体および自動車に関する。
【背景技術】
【０００２】
自動車の重量を低減するために、トランク扉に使用される金属は、ますますプラスチック材に置き換えられている。
【０００３】
しかし、類似の設計において鋼材の代替品としてプラスチック材を使用すると、剛性に関する問題を生じる。具体的には、これは、プラスチック材と鋼材との間に存在するヤング率の差による。
【０００４】
このため、プラスチック製のトランク扉には、一般に、プラスチック材本来の剛性不足に対処するために、鋼製補強部が設けられる。これら金属補強部は、一般に、組立中にトランク扉に変形を生じる幾何学的欠陥を有する複数の重い組付け要素を備える。
【発明の概要】
【０００５】
本発明の目的は、上記の欠点を克服する、自動車用の扉構造装置を提供し、従来技術で既知の構造要素を改良することである。具体的には、本発明は、簡単、軽量かつ信頼できる構造装置またはトランク扉を製造することを可能にし、その構造装置またはトランク扉の製造が必要とする製造ステップの数がより少なくなる。
【０００６】
第１の態様によれば、本発明は、自動車のトランク用の扉構造装置であって、車体外板によって覆われるようになされた下側部分、および後方窓囲繞部を形成し、後方窓枠によって覆われるようになされた上側部分を備え、下側部分から上側部分まで延在する少なくとも１つの中空補強要素をさらに備え、中空補強要素が、流体アシスト射出成型によって製造される、装置からなる。
【０００７】
一実施形態では、該装置は、プラスチック材の射出成型によって一体に製作される。
【０００８】
一実施形態では、少なくとも１つの中空補強要素が、下側部分および／または上側部分に対して突出している。
【０００９】
一実施形態では、少なくとも１つの中空補強要素が、下側部分および／または上側部分の外面から突出している。
【００１０】
一実施形態では、中空補強要素が、平行六面体断面、好ましくは正方形断面を有する。
【００１１】
一実施形態では、少なくとも１つの中空補強要素が、後方窓囲繞部を少なくとも部分的に取り巻く周縁枠を形成し、かつ／または少なくとも１つの中空補強要素が、装置を少なくとも部分的に取り巻く周縁枠を形成する。
【００１２】
一実施形態では、該装置が、少なくとも１つの中空補強要素の１つの面を含む連続的固定経路をさらに備え、該固定経路は、装置の内面に配置される。
【００１３】
第２の態様によれば、本発明は、本発明の第１の態様による装置を製造する方法に関する。
【００１４】
該方法は、下側部分および上側部分を製造するプラスチック射出成型ステップを含む。該方法は、さらに、下側部分から上側部分まで延在する少なくとも１つの中空補強要素を製造する流体アシストプラスチック射出成型ステップを含む。
【００１５】
一実施形態では、少なくとも１つの中空補強要素を射出成型するために使用される流体は、ガスまたは液体、好ましくは水である。
【００１６】
一実施形態では、プラスチック材製の追加補強手段を、装置の残余部分に取り付け、特にオーバモールドによって取り付ける。
【００１７】
第３の態様によれば、本発明は、本発明の第１の態様による車両トランクの扉構造装置と、後方窓枠とを備える、自動車のトランク扉に関する。該後方窓枠が、重ね合わせによって該装置の後方窓囲繞部を覆う。後方窓枠と装置との重ね合わせ部が、少なくとも１つの中空補強要素の長さの少なくとも一部分に沿って延在する第２の中空体を形成する。
【００１８】
一実施形態では、該トランク扉が、本発明の第１の態様によるトランク扉構造装置と、少なくとも１つの中空補強要素に固定された少なくとも１つのシーリング要素とを備える。
【００１９】
一実施形態では、該トランク扉が、本発明の第１の態様によるトランク扉構造装置と、上側部分を下側部分に連結し、中空チューブ、および中空チューブの長手方向両端部にオーバモールドされた固定要素を備える少なくとも１つの追加プラスチック補強手段とを具備する。
【００２０】
第４の態様によれば、本発明は、本発明の第１の態様によるトランク扉を備える自動車車体に関する。該車体は、トランク扉が閉鎖されたとき、少なくとも１つの中空補強要素または少なくとも１つの固定経路と接触するシーリング要素を備える。
【００２１】
第５の態様によれば、本発明は、本発明の第１の態様による車両トランク用扉構造装置、または本発明の第４の態様による自動車車体を備える車両、特に自動車に関する。
【００２２】
添付図面は、本発明による装置、トランク扉、または車両の実施形態を、例として示す。
【図面の簡単な説明】
【００２３】
【図１】自動車のトランク扉構造装置の実施形態の外面の図である。
【図２】後方窓囲繞部が装着された、図１によるトランク扉構造装置の実施形態の外面の図である。
【図３】図１によるトランク扉構造装置の内面の図である。
【図４Ａ】図３による装置とシールとを備える本発明の一実施形態によるトランク扉の一部の、面Ａ上の断面図である。
【図４Ｂ】上側部分と窓枠との協働によって第２の中空体が形成される実施形態における、トランク扉の面Ｂ上での概略断面図である。
【図５】図１による装置に装着することができる追加補強要素の実施形態の図である。
【図６】本発明の一実施形態による、車両のトランク扉の実施形態の分解組立図である。
【図７】トランク扉を備える車両の実施形態の図である。
【発明を実施するための形態】
【００２４】
以降の記述において、以下の用語は、以下のように定義し理解することができる。
【００２５】
「下側部分」は、トランク扉１１が閉鎖位置にあるときに、車両に対して下端の方に位置する部分として定義される。逆に「上側部分」は、トランク扉１１が閉鎖位置にあるときに、車両に対して上端の方に位置する部分を示す。たとえば、下側部分および上側部分は、それぞれ、トランク扉が閉鎖位置にあるとき、後方窓の下側縁部の下方および上方に位置する。
【００２６】
「内面」は、トランク扉が閉鎖位置にあるとき、車両の客室の内側の方に向くようになされた、要素の面であるとして定義される。逆に「外面」は、トランク扉１１が閉鎖位置にあるとき、車両の客室の外側の方に向くようになされた、要素の面を示す。
【００２７】
本発明の構想は、車両のトランク扉の構造装置の剛性を増加させるために、その構造装置に沿って延在する中空補強要素を組み込むことにある。その場合、構造装置は、負荷部分の慣性能率を増加させることが可能になる。
【００２８】
自動車のトランク用の扉構造装置１の例を、図１を参照して以下に説明する。
【００２９】
本発明は、具体的には、車両、特に自動車用のトランク扉１１を形成するために覆われるようになされた装置１に関する。
【００３０】
装置１は、扉ケースまたはトランク扉構造要素であり得る。装置１は、好ましくはハッチバック式トランク扉のトランク内張りであり得る。
【００３１】
装置１は、上側部分１ａによって上方に延長させられる下側部分１ｂを備える、支持部を構成する第１の部分を具備する。下側部分１ｂは、車体要素によって覆われるようになされている。図２に示されるように、上側部分１ａは、車両トランク扉の後方窓枠６によって覆われるようになされた後方窓囲繞部４を形成する。
【００３２】
装置１は、少なくとも１つの中空補強要素２をさらに備える。少なくとも１つの中空補強要素２は、下側部分１ｂから上側部分１ａまで延在する。すなわち、中空補強要素２は、下側部分および上側部分の全体に延在する。
【００３３】
中空補強要素２は、装置１を強化するように装置１の周縁部を廻って連続的または不連続的に配設された長手方向要素から構成され得る。
【００３４】
少なくとも１つの中空補強要素２は、装置１の周縁部の少なくとも一部分を廻るベルトを生成し、このベルトが、下側部分１ｂと上側部分１ａとを連結する。
【００３５】
表現「一部分」は、この場合、少なくとも２５％、または少なくとも５０％を意味すると理解されたい。
【００３６】
少なくとも１つの中空補強要素２は、装置１の下側または上側の側方縁部から１ｃｍ〜２０ｃｍ、好ましくは５ｃｍ〜１５ｃｍの距離をおいて延在し得る。
【００３７】
少なくとも１つの中空補強要素２は、５０ｃｍ〜３５０ｃｍ、好ましくは１５０ｃｍ〜２５０ｃｍの長さにわたって長手方向に延在し得る。
【００３８】
中空補強要素２は、この場合、強化桁として作用する。さらに、プラスチックの使用および補強要素の中空形状は、衝撃の減衰、特にトランク扉１１が閉じられるときの、装置１を備えるトランク扉１１と車体との間の衝撃の減衰を向上させることを可能にする。
【００３９】
補強要素は、直線的または長手方向に延在し得る。補強要素は、支持部の外形の少なくとも一部分に沿って、または下側部分１ｂと上側部分１ａとによって形成されたアセンブリの外形の少なくとも一部分に沿って、直線的に延在する。
【００４０】
少なくとも１つの中空補強要素２は、図１に示されるように、少なくとも２つの中空補強要素からなり得る。このように、少なくとも１つの中空補強要素２は、不連続部を備え得る。すなわち、少なくとも１つの中空補強要素２は、連続的に、または準連続的に延在する。
【００４１】
このように、中空補強要素２は、少なくとも部分的に強化リング形成するように延在する。
【００４２】
中空補強要素２は、下側部分１ｂの下側縁部に沿って配設された少なくとも１つの第１の下側部位を備える。
【００４３】
中空補強要素２は、下側部分１ｂから上側部分１ａまで支持部の側方縁部に沿って配設された少なくとも１つの第２の上方部位を備える。
【００４４】
中空補強要素２は、後方窓囲繞部４を形成する縁部に沿って上側部分１ａの縁に延在し得る。
【００４５】
図１に示される実施形態では、装置１は、対称的に支持部に配設された２つの中空補強要素を備える。
【００４６】
代替形態では、２つの対称的中空補強要素が、下側部分１ｂの下側縁部に沿って対合し得、かつ／または後方窓囲繞部４の上端部分３に沿って対合し得る。「上端部分」は、この場合、上側部分１ａまたは後方窓囲繞部の上側縁部であると理解されたい。
【００４７】
図４Ａに示されるように、中空補強要素２は、平行六面体形状の断面を有し、４つの面で長手方向に延在する。好ましくは、中空補強要素２は、正方形を有する。すなわち、補強要素は、４つの面に囲まれた長手方向に延在する空洞と見なすことができる。
【００４８】
面２ａ、２ｂの長さは、０．５ｃｍ〜５ｃｍ、好ましくは２ｃｍ〜４ｃｍで変化し得る（両端を含む）。より一般的には、中空補強要素の断面は、直径Ａｍｍの円と直径Ｂｍｍの円との間に含めることができる。
【００４９】
補強要素の断面の形状は、補強要素に沿って一定であり得る。あるいは、補強要素の断面の形状は、補強要素に沿って変化してもよい。
【００５０】
一実施形態では、中空補強要素２の断面の面の１つ２ａは、シーリング要素７を受けるようになされ得る。図３に示されるように、シーリング要素７を受けるようになされた、断面の面２ａは、支持部の内側の方に向いた面２ａである。他の３つの面２ｂは、好ましくは、支持部の外面から突出する。
【００５１】
有利には、支持部の内面の方に向いた、少なくとも１つの中空補強要素２の面２ａは、このように、少なくとも１つの一体式シーリング要素７用の固定経路７１を形成することを可能にする。この配設は、また、温度に関係なくトランク扉１１のシーリングを確保するために、シールなど、シーリング要素７をより良好に安定させることを可能にする。図１に示すように、連結経路７１は、支持部を廻る連続的経路を形成するように、２つの中空補強要素２を連結することを可能にする。図３に示されるように、固定経路は、一体式シーリング要素７の取り付けを可能にする。
【００５２】
一実施形態では、中空補強要素２は不連続であり、固定経路７１は連続している。固定経路７１は、中空補強要素２に沿って延在し、かつ該中空補強要素２の不連続箇所間に延在することができる。
【００５３】
固定経路７１は、少なくとも１つの中空補強要素２の不連続箇所間に、細片を備え得る。これら細片は、一体式シーリング要素７の取り付けを可能にするために、固定経路７１を連続させることを可能にする。一体式シーリング要素７は、有利には、より良好な機能および製造時間の削減を可能にする。
【００５４】
すなわち、固定経路７１は、装置１の製造に際し、成型によって部分的に製造することができる。
【００５５】
したがって、製造ステップの追加はない。
【００５６】
支持部の下側部分１ｂは、内面および外面を備える。外面は、車体外板８による重ね合わせにより覆われるようになされている。
【００５７】
下側部分１ｂは、さらに、強化要素（５ａ、５ｂ、５ｃ）を備える。これら強化要素は、支持部を製造するためにプラスチック材を成型することによって得られる。
【００５８】
これら強化要素は、機能部材の固定を可能にする。
【００５９】
少なくとも１つの第１の強化要素５ａは、ロッキング装置の固定を可能にする。
【００６０】
少なくとも１つの第２の強化要素５ｂは、照明装置の固定を可能にする。
【００６１】
第３の強化要素５ｃは、ウインドシールドワイパ装置の固定を可能にする。
【００６２】
支持部の上側部分１ａは、後方窓囲繞部４を形成する。この上側部分１ａは、後方窓枠６による重ね合わせにより覆われるようになされている。
【００６３】
窓枠および車体外板８は、装置１の同一面上に、好ましくは互いに面一になるように、隣接して配設されるようになされている。
【００６４】
好ましくは、中空補強要素２は、流体アシスト射出成型によって製造される。中空補強要素２を作製するのに使用される流体は、ガスまたは水などの液体であり得る。
【００６５】
有利には、支持部および中空補強要素２を備える装置１は、単一体に製造される。好ましくは、装置１は、プラスチック材の射出成型によって製造され、中空補強要素２の空洞は、流体アシスト射出成型によって製造される。
【００６６】
このように、本発明は、トランク扉１１の内張りを強化するために支持部に金属要素を固定するステップを不要にする。
【００６７】
そのような車両トランク扉構造装置１を製造する方法は、支持部、または単一体で下側部分１ｂおよび上側部分１ａを製造するプラスチック射出成型ステップを含み得る。
【００６８】
方法は、また、少なくとも１つの中空補強要素２を製造する流体アシストプラスチック射出成型のステップを含む。このステップは、上記の射出成型ステップの一部であり得る。
【００６９】
これら２つのステップは、有利には、少なくとも１つの中空補強要素２が下側部分１ｂおよび上側部分１ａと一体をなす単一体装置１を得るために、並行に実施される。
【００７０】
本発明は、また、車両、特に自動車用のトランク扉１１に関する。
【００７１】
自動車のトランク扉１１の例が、図６を参照して以下に説明される。
【００７２】
トランク扉１１は、上記のように扉構造装置１を備える。トランク扉１１は、また、後方窓枠６および車体外板８を備える。
【００７３】
上記で詳細に説明したように、窓枠６は、重ね合わせによって装置１の後方窓囲繞部４を覆う。窓枠６は、装置１の外面上で装置１を覆う。
【００７４】
図４Ｂに示された実施形態では、窓枠６が装置１に組み付けられると、枠６と装置１とが、第２の中空体６１を形成する。
【００７５】
窓枠６は、窓枠６と上側部分１ａとの間に第２の中空体６１を生成するために上側部分の外面と協働するように設計されている。
【００７６】
第２の中空体６１は、有利には、中空補強要素２によって形成された中空体２１に沿って延在する。それによって、トランク扉１１は、トランク扉１１の剛性を増加させる２重の中空体を備える。すなわち、構造装置は、その外形寸法を変えることなしに、鋼材製の類似の装置に比較して負荷部分の慣性能率を増加させることを可能にする。
【００７７】
一実施形態では、後方窓囲繞部４の上端部分３は、少なくとも１つのヒンジを受け持つようになされている。ヒンジは、トランク扉１１を車両フレームに回転可能に連結することを可能にする。上端部分３の別の面は、スポイラ１０またはウィングなど、車両の空力特性を向上させる要素を受け持つようになされ得る。
【００７８】
トランク扉１１は、スポイラ１０またはウィングなど、車両の空力特性を向上させることを可能にする要素を備え得る。
【００７９】
トランク扉１１は車体外板８を備える。好ましくは、車体外板８は、構造装置の下側部分１ｂを覆うように配設される。車体外板８は、後方窓枠６に隣接して配設され得る。
【００８０】
車体外板８は、後方窓枠６と実質的に面一に配設され得る。
【００８１】
トランク扉１１は、装置の中空補強要素２または固定経路７１に固定されたシーリング要素７またはシールを備え得る。有利には、シーリング要素７は、該トランク扉１１の製造ステップを簡単にするために一体として構成される。シーリング要素７は、該装置の内面、好ましくは固定経路７１に固定される。
【００８２】
一実施形態では、トランク扉１１は、プラスチック材製の少なくとも１つの追加の補強手段９を備える。
【００８３】
そのような追加プラスチック補強手段９の例が、図５に示される。
【００８４】
この追加プラスチック補強手段９は、中空長軸チューブ９ａを備える。中空長軸チューブ９ａは、射出成型に際し中空体を直接生成し、同時に十分に剛性のある部品を得ることを可能にするために、流体アシスト射出成型によって製造される部品である。追加プラスチック補強手段９は、また、中空チューブ９ａの長手方向両端部に固定要素９ｂ、９ｃを備え得る。
【００８５】
これら固定要素９ｂ、９ｃは、好ましくは、ナットまたはスクリューと協働する貫通孔を備える。この実施形態では、追加補強手段９は、本発明による装置１にねじ止めされる。
【００８６】
これら固定要素９ｂ、９ｃは、プラスチック材の射出成型によって中空長軸チューブ９ａにオーバモールドされる。したがって、追加プラスチック補強手段９は、金属部品を使用せずに、複数のプラスチック部品から十分に高い剛性を有するように構成することができる。
【００８７】
追加プラスチック補強手段９は、扉構造装置の内面に配設され得る。追加プラスチック補強手段９は、トランク扉１１の剛性、および不可逆変形に対する耐性を補強することを可能にする。
【００８８】
有利には、少なくとも１つの追加プラスチック補強手段９は、装置１の下側部分１ｂから装置１の上側部分１ａまで延在する。少なくとも１つの追加プラスチック補強手段９は、中空チューブ９ａの長手方向両端部に在る固定手段９ｂ、９ｃによって、装置の上側部分１ａおよび／または下側部分１ｂに固定される。
【００８９】
代替実施形態では、追加プラスチック補強手段９は、好ましくは、装置の上側部分１ａおよび／または下側部分１ｂにオーバモールドされる。
【００９０】
その場合、固定要素９ｂ、９ｃは、好ましくは、それら固定要素を装置１の残余部分にオーバモールドすることを可能にする貫通孔または他の成形部を備える。
【００９１】
そのような追加プラスチック補強手段９の利点は、一部品を単一の工程で製造する利点である。成型によって製造されるそのような追加プラスチック補強手段は、また、鋼材製の類似部品より形状上の欠陥が少ない。最後に、プラスチックの使用は、鋼材製の類似部品に比較して、部品へのあらゆる防食処理を無くすことを可能にする。
【００９２】
同様に、追加補強手段９および中空補強要素２は、装置１に追加プラスチック補強手段９および中空補強要素２を配置することによって、トランク扉１１がより良好な形状安定性およびより良好な温度耐性を有することを可能にする。
【００９３】
トランク扉１１は、また、下側部分１ｂの剛性要素に挿入され、または固定された少なくとも１つの照明装置、少なくとも１つのウインドシールドワイパ装置、または少なくとも１つのロッキング装置を備え得る。
【００９４】
本発明は、また、上記のトランク扉構造装置を備える自動車車体に関する。
【００９５】
車体は、トランク扉１１が閉鎖位置にあるとき、少なくとも１つの中空補強要素２または固定経路７１に当接するように配置されたシールを備え得る。
【００９６】
本発明は、また、上記のトランク扉構造装置１を備え、上記のトランク扉１１または上記の車体を備える車両１２に関する。
【００９７】
図７に示されるように、車両１２は、本発明による装置１、後方窓枠６、および車体外板８を備えるトランク扉１１を具備する。
【図１】
2021528318.tif 000003
【図２】
2021528318.tif 000004
【図３】
2021528318.tif 000005
【図４Ａ】
2021528318.tif 000006
【図４Ｂ】
2021528318.tif 000007
【図５】
2021528318.tif 000008
【図６】
2021528318.tif 000009
【図７】
2021528318.tif 000010
【国際調査報告】
2021528318.tif 000011
2021528318.tif 000012
2021528318.tif 000013
2021528318.tif 000014
2021528318.tif 000015
2021528318.tif 000016